(57)【要約】【課題】印刷を実行する実行部の機能に応じた、推奨設定および該推奨設定を用いたことによる効果を示す情報を提供する。【解決手段】ＭＦＰ１００は、取得部４０Ａと、導出部４０Ｃと、表示制御部４０Ｄと、を備える。取得部４０Ａは、原稿に関する原稿情報を取得する。導出部４０Ｃは、原稿情報と、原稿を複写して媒体へ印刷するエンジン部１７の有する機能と、に基づいて、印刷時の推奨設定および該推奨設定で印刷した場合の媒体の使用量の削減率を導出する。表示制御部４０Ｄは、推奨設定および削減率を含む推奨情報を操作パネル２７に表示する。【選択図】図２
2019116000.tif 000002
【特許請求の範囲】
【請求項１】
原稿に関する原稿情報を取得する取得部と、
前記原稿情報と、前記原稿を複写して媒体へ印刷する実行部の有する機能と、に基づいて、印刷時の推奨設定および該推奨設定で印刷した場合の前記媒体の使用量の削減率を導出する導出部と、
前記推奨設定および前記削減率を含む推奨情報を表示部に表示する表示制御部と、
を備える情報処理装置。
【請求項２】
前記機能は、
前記原稿の前記媒体への印刷方法に関する機能である、
請求項１に記載の情報処理装置。
【請求項３】
前記機能は、
前記原稿の原稿面を前記媒体の両面へ印刷する両面印刷機能、複数の前記原稿面を前記媒体へ集約して印刷する集約機能、および、前記原稿の原稿面を二つ折りの本になるように振り分けて印刷する製本印刷機能、の少なくとも１つを含む、
請求項２に記載の情報処理装置。
【請求項４】
前記原稿情報は、
印刷対象の前記原稿の枚数を示す枚数情報、前記原稿における印刷対象の原稿面が片面または両面であるかを示す原稿面情報、を含む、
請求項１〜請求項３の何れか１項に記載の情報処理装置。
【請求項５】
ユーザによる操作入力を受付ける受付部を備え、
前記取得部は、前記受付部から前記原稿情報を取得する、
請求項４に記載の情報処理装置。
【請求項６】
前記表示制御部は、
製本印刷に適した前記原稿の枚数に応じた、互いに異なる枚数範囲の複数の選択欄を含む画面を前記表示部に表示し、
前記取得部は、
前記選択欄を介して操作入力された枚数範囲を示す前記枚数情報を含む前記原稿情報を、前記受付部から取得する、
請求項５に記載の情報処理装置。
【請求項７】
前記原稿情報は、
前記原稿面の色情報を更に含む、
請求項６に記載の情報処理装置。
【請求項８】
前記導出部は、前記原稿情報と、前記実行部の有する機能と、に基づいて、前記削減率が第１の閾値以上の前記推奨設定を導出する、
請求項１〜請求項７の何れか１項に記載の情報処理装置。
【請求項９】
前記導出部は、
前記原稿情報と、前記実行部の有する機能と、に基づいて、前記削減率が前記第１の閾値以上であり、且つ、コピー時に前記実行部で用いる色材の数が第２の閾値以下、および、前記原稿を印刷された前記媒体の見易さの度合いが第３の閾値以上、の少なくとも一つを満たす、前記推奨設定を導出する、
請求項８に記載の情報処理装置。
【請求項１０】
前記導出部は、
前記原稿情報に応じて前記原稿を前記媒体へ印刷したときの第１の使用料金に対する、前記原稿を前記推奨設定で前記媒体へ印刷したときの第２の使用料金の料金削減率を更に導出し、
前記表示制御部は、
前記推奨設定、前記削減率、および前記料金削減率、を含む、前記推奨情報を前記表示部に表示する、
請求項１〜請求項９の何れか１項に記載の情報処理装置。
【請求項１１】
前記表示制御部は、
前記削減率を示すグラフ画像を前記表示部に表示する、
請求項１〜請求項１０の何れか１項に記載の情報処理装置。
【請求項１２】
原稿に関する原稿情報を取得するステップと、
前記原稿情報と、前記原稿を複写して媒体へ印刷する実行部の有する機能と、に基づいて、印刷時の推奨設定および該推奨設定で印刷した場合の前記媒体の使用量の削減率を導出するステップと、
前記推奨設定および前記削減率を含む推奨情報を表示部に表示するステップと、
を含む情報処理方法。
【請求項１３】
原稿に関する原稿情報を取得するステップと、
前記原稿情報と、前記原稿を複写して媒体へ印刷する実行部の有する機能と、に基づいて、印刷時の推奨設定および該推奨設定で印刷した場合の前記媒体の使用量の削減率を導出するステップと、
前記推奨設定および前記削減率を含む推奨情報を表示部に表示するステップと、
をコンピュータに実行させるための情報処理プログラム。
【発明の詳細な説明】
【技術分野】
【０００１】
本発明は、情報処理装置、情報処理方法、および情報処理プログラムに関する。
【背景技術】
【０００２】
印刷の際に、印刷設定を自動で変更する画像形成装置が知られている。
【０００３】
例えば、ユーザが設定した条件設定より用紙を削減できる別の条件設定を提示し、印刷するシステムが開示されている（例えば、特許文献１参照）。
【発明の概要】
【発明が解決しようとする課題】
【０００４】
ここで、印刷を実行する実行部は、構成によって異なる機能を有する場合がある。しかし、従来の技術では、実行部の機能に応じた、推奨設定や該推奨設定を用いたことによる効果を示す情報は提供されていなかった。
【０００５】
本発明は、上記に鑑みてなされたものであって、印刷を実行する実行部の機能に応じた、推奨設定および該推奨設定を用いたことによる効果を示す情報を提供することができる、情報処理装置、情報処理方法、および情報処理プログラムを提供することを目的とする。
【課題を解決するための手段】
【０００６】
上述した課題を解決し、目的を達成するために、本発明は、原稿に関する原稿情報を取得する取得部と、前記原稿情報と、前記原稿を複写して媒体へ印刷する実行部の有する機能と、に基づいて、印刷時の推奨設定および該推奨設定で印刷した場合の前記媒体の使用量の削減率を導出する導出部と、前記推奨設定および前記削減率を含む推奨情報を表示部に表示する表示制御部と、を備える情報処理装置である。
【発明の効果】
【０００７】
本発明によれば、印刷を実行する実行部の機能に応じた、推奨設定および該推奨設定を用いたことによる効果を示す情報を提供することができる、という効果を奏する。
【図面の簡単な説明】
【０００８】
【図１】図１は、ＭＦＰのハードウェア構成例を示すブロック図である。
【図２】図２は、ＭＦＰの構成の一例を示す機能ブロック図である。
【図３】図３は、ホーム画面の一例を示す模式図である。
【図４】図４は、初期画面の一例を示す模式図である。
【図５】図５は、色情報選択画面の一例を示す模式図である。
【図６】図６は、色味変更選択画面の一例を示す模式図である。
【図７】図７は、原稿枚数選択画面の一例を示す模式図である。
【図８】図８は、原稿面選択画面の一例を示す模式図である。
【図９】図９は、原稿方向設定画面の一例を示す模式図である。
【図１０】図１０は、推奨設定管理情報のデータ構成の一例を示す模式図である。
【図１１】図１１は、削減率管理情報のデータ構成の一例を示す模式図である。
【図１２】図１２は、推奨画面の一例を示す模式図である。
【図１３】図１３は、推奨画面の一例を示す模式図である。
【図１４】図１４は、グラフ画像の一例を示す模式図である。
【図１５】図１５は、推奨画面の一例を示す模式図である。
【図１６】図１６は、情報処理の手順の一例を示すフローチャートである。
【発明を実施するための形態】
【０００９】
以下に添付図面を参照して、情報処理装置、情報処理方法、および情報処理プログラムの実施の形態を詳細に説明する。
【００１０】
以下では、情報処理装置を、複合機（ＭＦＰ：Ｍｕｌｔｉｆｕｎｃｔｉｏｎ  Ｐｅｒｉｐｈｅｒａｌ（以下、ＭＦＰと称する））に適用した場合を例に挙げて説明するが、これに限定されるものではない。なお、複合機とは、印刷機構、コピー機構、スキャナ機構、およびファクス機構のうち少なくとも２つの機構を有する装置である。本実施の形態では、ＭＦＰは、少なくともコピー機構を有する。
【００１１】
図１は、本実施の形態のＭＦＰ１００のハードウェア構成例を示すブロック図である。
【００１２】
ＭＦＰ１００は、本体１０と、操作部２０と、を備える。
【００１３】
本体１０は、コピー機構、スキャナ機構、ファクス機構、プリンタ機構、などの各種の機構を実現可能な装置である。本実施の形態では、本体１０は、少なくともコピー機構を備える。
【００１４】
操作部２０は、ユーザの操作入力を受け付けると共に、各種の表示画面を表示する。操作部２０は、詳細は後述するが、独自のＯＳを有する。ユーザによる操作入力を受け付けるとは、ユーザの操作やユーザの操作指示に応じて入力される情報を受け付けることを含む。
【００１５】
本体１０と操作部２０は、専用の通信路１９を介して相互に通信可能に接続されている。通信路１９は、例えばＵＳＢ（Ｕｎｉｖｅｒｓａｌ  Ｓｅｒｉａｌ  Ｂｕｓ）規格のものを用いることもできるが、有線か無線かを問わず任意の規格のものであってよい。また、通信路１９は、インターネット等のネットワークや電話回線等であってもよい。
【００１６】
なお、本体１０は、操作部２０で受け付けた入力に応じた動作を行うことができる。また、本体１０は、外部装置とも通信可能であり、外部装置から受信した指示に応じた動作を行うこともできる。
【００１７】
次に、本体１０のハードウェア構成例について説明する。本体１０は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、ＨＤＤ（Ｈａｒｄ  Ｄｉｓｋ  Ｄｒｉｖｅ）１４と、通信Ｉ／Ｆ（インターフェース）１５と、接続Ｉ／Ｆ１６と、エンジン部１７と、を備え、これらがシステムバス１８を介して相互に接続されている。
【００１８】
ＣＰＵ１１は、本体１０の動作を統括的に制御する。ＣＰＵ１１は、ＲＡＭ１３をワークエリア（作業領域）としてＲＯＭ１２またはＨＤＤ１４等に格納されたプログラムを実行することで、本体１０全体の動作を制御し、上述したコピー機構、スキャナ機構、ファクス機構、プリンタ機構などの各種機構を実現する。
【００１９】
通信Ｉ／Ｆ１５は、ネットワーク３０と接続するためのインターフェースである。接続Ｉ／Ｆ１６は、通信路１９を介して操作部２０と通信するためのインターフェースである。
【００２０】
エンジン部１７は、コピー機構、スキャナ機構、ファクス機構、プリンタ機構、などの機構を実現させるための、汎用的な情報処理および通信以外の処理を行う、ハードウェアである。例えば、エンジン部１７は、原稿の画像をスキャンして読み取るスキャナ、読取った画像の画像データや外部装置などから取得した画像データの画像を用紙等の媒体へ印刷するプロッタ、ファクス通信を行うファクスなどを備える。さらに、印刷済み媒体を仕分けるフィニッシャや、原稿を自動給送するＡＤＦ（自動原稿給送装置：Ａｕｔｏ  Ｄｏｃｕｍｅｎｔ  Ｆｅｅｄｅｒ）のような特定のオプションを備えることもできる。
【００２１】
エンジン部１７は、実行部の一例である。本実施の形態では、エンジン部１７は、少なくともコピー機構を備える。コピー機構とは、詳細には、原稿を複写して媒体へ印刷する仕組みである。
【００２２】
媒体とは、画像形成可能な物であり、例えば、用紙、樹脂シート、などである。本実施の形態では、媒体が、用紙である場合を一例として説明する。このため、以下では、媒体を、単に“用紙”と称して説明する場合がある。
【００２３】
原稿とは、コピー対象の紙媒体である。すなわち、本実施の形態では、原稿は、データではなく、コピー対象の媒体を意味する。具体的には、原稿は、原稿用紙を意味する。
【００２４】
また、本実施の形態では、エンジン部１７は、コピー機構に関する１または複数の機能を有する。本実施の形態では、エンジン部１７の有する機能とは、原稿の媒体への印刷方法に関する機能である。
【００２５】
具体的には、エンジン部１７の有する機能は、両面印刷機能、集約機能、製本印刷機能、の少なくとも１つである。
【００２６】
両面印刷機能とは、原稿の原稿面を用紙の両面へ印刷する機能である。原稿面とは、原稿における、コピー対象の面を示す。集約機能とは、複数の原稿面を用紙へ集約して印刷する機能である。集約機能は、集約数に応じた数の原稿面を、１枚の用紙へ集約して印刷する機能を含む。
【００２７】
製本印刷機能とは、原稿の原稿面を二つ折りの本になるように振り分けて印刷する機能である。詳細には、製本印刷機能は、複数の原稿面を集約するとともに用紙の両面へ印刷し、且つ、印刷時の原稿面の配置が、製本後に原稿面の読取順に応じて視認されるように、原稿面を用紙へ印刷するときの配置を調整する機能である。
【００２８】
なお、製本印刷機能は、更に、複数の機能を含んでいてもよい。例えば、製本印刷機能は、ミニ本印刷機能、週刊誌印刷機能、等の機能を含んでいてもよい。ミニ本印刷機能は、読取った複数の原稿面を、用紙を折った後に重ねた時に原稿面の読取順に参照されるように配置して、用紙の両面の各々に２つの原稿面ずつ集約して印刷する機能である。週刊誌印刷機能は、読取った複数の原稿面を、用紙を重ねた後に折った時に原稿面の読取順に参照されるように配置して、用紙の両面の各々に２つの原稿面ずつ集約して印刷する機能である。
【００２９】
また、製本印刷機能は、集約機能を更に組み合わせた集約製本印刷機能を更に含んでいてもよい。集約製本印刷機能とは、製本印刷する印刷ページ毎に、複数枚の原稿面を集約して印刷する機能である。
【００３０】
本実施の形態では、エンジン部１７は、製本印刷機能として、週刊誌印刷機能と、集約製本印刷機能と、を備える場合を一例として説明する。
【００３１】
次に、操作部２０のハードウェア構成例を説明する。操作部２０は、ＣＰＵ２１と、ＲＯＭ２２と、ＲＡＭ２３と、フラッシュメモリ２４と、通信Ｉ／Ｆ２９と、接続Ｉ／Ｆ２６と、操作パネル２７と、外部接続Ｉ／Ｆ２８とを備え、これらがシステムバス２を介して相互に接続されている。
【００３２】
ＣＰＵ２１は、操作部２０の動作を統括的に制御する。ＣＰＵ２１は、ＲＡＭ２３をワークエリア（作業領域）としてＲＯＭ２２またはフラッシュメモリ２４等に格納されたプログラムを実行することで、操作部２０全体の動作を制御し、ユーザから受け付けた入力に応じた情報（画像）の表示などの後述する各種機能を実現する。
【００３３】
通信Ｉ／Ｆ２９は、ネットワーク３０と接続するためのインターフェースである。接続Ｉ／Ｆ２６は、通信路１９を介して本体１０と通信するためのインターフェースである。外部接続Ｉ／Ｆ２８は、ＩＣカードリーダなどと接続するためのインターフェースである。
【００３４】
操作パネル２７は、表示部の一例である。操作パネル２７は、ユーザの操作に応じた各種の入力を受け付けるとともに、各種の情報を表示する。例えば、操作パネル２７は、受け付けた入力に応じた情報や、各種の画面などを表示する。
【００３５】
本実施の形態では、操作パネル２７は、タッチパネル機能を搭載した液晶表示装置（ＬＣＤ）で構成されるが、これに限られるものではない。例えばタッチパネル機構が搭載された有機ＥＬ表示装置で構成されてもよい。さらに、これに加えてまたはこれに代えて、ハードウェアキー等の操作部やランプ等の表示機構を設けることもできる。
【００３６】
なお、本実施の形態では、機構の独立性を保つために、本体１０側のソフトウェアと操作部２０側のソフトウェアが互いに異なる。すなわち、本体１０と操作部２０は、別々のオペレーティングシステムで互いに独立して動作する。例えば、本体１０側のソフトウェアとしてＬｉｎｕｘ（登録商標）を用い、操作部２０側のソフトウェアとしてＡｎｄｒｏｉｄ（登録商標）を用いることも可能である。
【００３７】
本実施の形態のＭＦＰ１００では、本体１０と操作部２０が別々のオペレーティングシステムで動作するため、本体１０と操作部２０との間の通信は、共通の装置内のプロセス間通信ではなく、異なる装置間の通信として行われる。操作部２０が受け付けたユーザからの指示内容を本体１０へ伝達する動作（コマンド通知）や、本体１０が操作部２０へイベントを通知する動作などがこれに該当する。
【００３８】
例えば、操作部２０が本体１０へコマンド通信を行うことにより、本体１０の機構を使用することができる。また、本体１０から操作部２０に通知するイベントには、本体１０における動作の実行状況、本体１０側で設定された内容などが挙げられる。
【００３９】
なお、本実施の形態のＭＦＰ１００では、本体１０と操作部２０とが一つの装置に含まれた構成である場合を説明する。しかし、本体１０と操作部２０とは、複数の装置に分かれて構成されていてもよい。すなわち、本体１０と操作部２０とは、装置本体とタブレット端末装置のように、別体として構成されていてもよい。
【００４０】
次に、ＭＦＰ１００の機能構成を説明する。図２は、ＭＦＰ１００の構成の一例を示す機能ブロック図である。
【００４１】
ＭＦＰ１００の本体１０は、印刷制御部１２１を備える。印刷制御部１２１は、本体１０全体を制御する。印刷制御部１２１は、ＣＰＵ１１、ＲＯＭ１２、およびＲＡＭ１３により実現する。
【００４２】
印刷制御部１２１には、ハードウェア資源を動作させて所定の機能を提供するための、１または複数のアプリケーションソフトウェアが予めインストールされている。なお、以下の説明では、アプリケーションソフトウェアを、単に「アプリ」と称して説明する場合がある。アプリは、例えば、コピー機構を提供するためのコピーアプリ、スキャナ機構を提供するためのスキャナアプリ、ファクス機構を提供するためのファクスアプリ、プリンタ機構を提供するためのプリンタアプリなどが挙げられる。
【００４３】
本実施の形態では、印刷制御部１２１は、操作部２０から受付けた実行情報に応じて、エンジン部１７を制御する。また、印刷制御部１２１は、操作部２０からエンジン部１７の有する機能の問合せ要求を受付けると、エンジン部１７の有する機能を示す機能情報を、操作部２０へ通知する。
【００４４】
ＭＦＰ１００の操作部２０は、処理部４０と、操作パネル２７と、記憶部２５と、を備える。処理部４０と操作パネル２７および記憶部２５とは、データや信号を授受可能に接続されている。
【００４５】
記憶部２５は、各種のデータを記憶する。記憶部２５は、例えば、ＨＤＤ、ＳＳＤ（Ｓｏｌｉｄ  Ｓｔａｔｅ  Ｄｒｉｖｅ）、メモリカード、光ディスク、ＲＡＭ、及びＲＯＭなどの磁気的、光学的、又は電気的に記憶可能な記憶装置により実現する。具体的には、記憶部２５は、例えば、フラッシュメモリ２４やＲＯＭ２２で実現する（図１参照）。
【００４６】
本実施の形態では、記憶部２５は、推奨設定管理情報２５Ａおよび削減率管理情報２５Ｂを予め記憶する。推奨設定管理情報２５Ａおよび削減率管理情報２５Ｂの詳細は後述する。
【００４７】
処理部４０は、操作部２０を制御する。処理部４０は、ＣＰＵ２１、ＲＯＭ２２、およびＲＡＭ２３で実現する（図１参照）。
【００４８】
処理部４０は、取得部４０Ａと、受付部４０Ｂと、導出部４０Ｃと、表示制御部４０Ｄと、を有する。
【００４９】
取得部４０Ａ、受付部４０Ｂ、導出部４０Ｃおよび表示制御部４０Ｄは、１または複数のプロセッサにより実現される。例えば上記各部は、ＣＰＵ２１などのプロセッサにプログラムを実行させること、すなわちソフトウェアにより実現してもよい。上記各部は、専用のＩＣ（Ｉｎｔｅｇｒａｔｅｄ  Ｃｉｒｃｕｉｔ）などのプロセッサ、すなわちハードウェアにより実現してもよい。上記各部は、ソフトウェアおよびハードウェアを併用して実現してもよい。複数のプロセッサを用いる場合、各プロセッサは、各部のうち１つを実現してもよいし、各部のうち２以上を実現してもよい。
【００５０】
取得部４０Ａは、コピー対象の原稿に関する原稿情報を取得する。原稿情報は、コピー対象の原稿の状態を示す情報である。具体的には、原稿情報は、コピー対象の原稿の枚数を示す枚数情報、原稿における印刷対象の原稿面が片面または両面であるかを示す原稿面情報、を含む。
【００５１】
また、原稿情報は、他の情報を更に含んでいてもよい。例えば、原稿情報は、原稿の原稿面の色情報、色味変更情報、および原稿方向情報、の少なくとも１つを更に含んでいてもよい。
【００５２】
色情報は、原稿面に示される文字や画像がカラーであるかモノクロ（白黒）であるかを示す情報である。色味変更情報は、原稿面の色の色味を変更して印刷することを許可するか否かを示す情報である。原稿方向情報は、本体１０の原稿の載置部に原稿を配置する方向である。
【００５３】
本実施の形態では、取得部４０Ａは、受付部４０Ｂを介して操作パネル２７から、原稿情報を取得する。受付部４０Ｂは、ユーザによる操作入力を受付ける。ユーザは、操作パネル２７を操作することで、原稿情報を操作入力する。受付部４０Ｂは、操作パネル２７から原稿情報を受付け、取得部４０Ａへ出力する。この処理により、取得部４０Ａは、原稿情報を取得する。
【００５４】
また、取得部４０Ａは、本体１０の印刷制御部１２１から、機能情報を取得する。取得部４０Ａは、エンジン部１７の有する機能の問合要求信号を印刷制御部１２１へ送信する。問合要求信号を受付けた印刷制御部１２１は、エンジン部１７の有する機能を示す機能情報を、処理部４０へ通知する。処理部４０の取得部４０Ａは、印刷制御部１２１から機能情報を取得する。
【００５５】
本実施の形態では、機能情報は、両面印刷機能、集約機能、および製本印刷機能の少なくとも１つの機能を含む、情報である。
【００５６】
表示制御部４０Ｄは、各種情報や表示画面を操作パネル２７へ表示する制御を行う。
【００５７】
本実施の形態では、表示制御部４０Ｄは、ホーム画面、受付画面、および推奨画面などの表示画面を、操作パネル２７へ表示する制御を行う。
【００５８】
ホーム画面は、ＭＦＰ１００への電源投入後に最初に表示される、基本画面である。図３は、ホーム画面５０の一例を示す模式図である。ホーム画面５０には、複数種類のアプリと１対１に対応する複数のアイコン（ボタン画像）が含まれる。
【００５９】
例えば、ホーム画面５０は、コピーアプリ、スキャナアプリ、ファクスアプリ、およびプリンタアプリの各々に対応するアイコンを含む。
【００６０】
ここで、本実施の形態では、処理部４０には、削減率診断アプリが搭載されている。削減率診断アプリは、原稿のコピー時の推奨設定および該推奨設定を用いることによる効果を診断するためのアプリケーションである。推奨設定を用いる事による効果は、推奨設定を用いることによる用紙削減率、推奨設定を用いることによる使用する色材の数の削減率、料金削減率、などである。削減率診断アプリを実現するためのプログラムは、情報処理プログラムの一例である。
【００６１】
ホーム画面５０は、削減率診断アプリの実行を指示するためのアイコン５０Ａを含む。
【００６２】
表示制御部４０Ｄは、ホーム画面５０を操作パネル２７へ表示する制御を行う。ユーザは、操作パネル２７に表示されたホーム画面５０を参照し、削減率診断アプリの実行を指示するためのアイコン５０Ａを操作指示する。すると、受付部４０Ｂが、削減率診断アプリの実行指示を受付け、処理部４０は、本実施の形態の情報処理プログラムを実行する。なお、ホーム画面５０におけるコピーアプリに対応するアイコン画像５０Ｂが操作指示されたときに、処理部４０は、本実施の形態の情報処理プログラムを実行してもよい。
【００６３】
表示制御部４０Ｄは、受付部４０Ｂで削減率診断アプリの実行指示を受付けると、受付画面を操作パネル２７へ表示する制御を行う。受付画面は、原稿情報の入力を受付けるための表示画面である。
【００６４】
図４〜図９は、受付画面５８の一例を示す模式図である。
【００６５】
図４は、初期画面５１の一例を示す模式図である。初期画面５１は、受付画面５８の一例である。初期画面５１は、削減率診断アプリ実行時に最初に表示される画面である。初期画面５１は、実行を指示するためのアイコン５１Ａを含む。ユーザが操作パネル２７を操作することでアイコン５１Ａが操作指示されると、受付部４０Ｂは、削減率診断アプリの実行指示を示す情報を受付け、表示制御部４０Ｄへ出力する。
【００６６】
表示制御部４０Ｄは、削減率診断アプリの実行指示を示す情報を受付けると、色情報選択画面を操作パネル２７へ表示する。
【００６７】
図５は、色情報選択画面５２の一例を示す模式図である。色情報選択画面５２は、受付画面５８の一例である。色情報選択画面５２は、コピー対象の原稿の原稿面の色情報を受付けるための受付画面５８である。色情報選択画面５２は、例えば、“カラー”または“モノクロ”の選択を受付けるためのアイコン５２Ｃと、実行指示を受付けるためのアイコン５２Ａと、前画面に戻る指示を受付けるためのアイコン５２Ｂと、を含む。
【００６８】
ユーザは、操作パネル２７を操作し、コピー対象の原稿の原稿面の色情報に対応するアイコン５２Ｃを操作指示することで、色情報を入力する。図５には、“カラー”を選択することで、“カラー”を示す情報を操作入力した形態を一例として示した。そして、ユーザがアイコン５２Ａを操作指示すると、受付部４０Ｂは、操作入力された色情報を受付け、取得部４０Ａおよび表示制御部４０Ｄへ出力する。なお、ユーザが前画面に戻る指示を受付けるためのアイコン５２Ｂを操作指示した場合、表示制御部４０Ｄは、前回表示した受付画面５８を操作パネル２７へ表示すればよい。
【００６９】
表示制御部４０Ｄは、操作入力された色情報を受付けると、色味変更選択画面を操作パネル２７へ表示する。
【００７０】
図６は、色味変更選択画面５３の一例を示す模式図である。色味変更選択画面５３は、受付画面５８の一例である。色味変更選択画面５３は、色味変更情報を受付けるための受付画面５８である。色味変更選択画面５３は、例えば、“色味変更不可”、“モノクロ”、“２色を用いたコピー”の何れかの選択を受付けるためのアイコン５３Ｃと、実行指示を受付けるためのアイコン５３Ａと、前画面に戻る指示を受付けるためのアイコン５３Ｂと、を含む。
【００７１】
ユーザは、操作パネル２７を操作し、コピー対象の原稿の原稿面の色味の変更内容の希望に応じて、アイコン５３Ｃを操作指示する。図６には、“モノクロ”を選択することで、“モノクロ”への色味変更を許可することを示す色味変更情報を操作入力した形態を、一例として示した。そして、ユーザがアイコン５３Ａを操作指示すると、受付部４０Ｂは、操作入力された、色味変更不可、モノクロへの色味変更、２色を用いたコピーへの色味変更、の何れかを示す、色味変更情報を受付け、取得部４０Ａおよび表示制御部４０Ｄへ出力する。なお、ユーザが前画面に戻る指示を受付けるためのアイコン５３Ｂを操作指示した場合、表示制御部４０Ｄは、前回表示した受付画面５８を操作パネル２７へ表示すればよい。
【００７２】
表示制御部４０Ｄは、操作入力された色味変更情報を受付けると、原稿枚数選択画面を操作パネル２７へ表示する。
【００７３】
図７は、原稿枚数選択画面５４の一例を示す模式図である。原稿枚数選択画面５４は、受付画面５８の一例である。原稿枚数選択画面５４は、コピー対象の原稿の枚数を示す枚数情報を受付けるための受付画面５８である。原稿枚数選択画面５４は、例えば、選択欄５４Ｃと、実行指示を受付けるためのアイコン５４Ａと、前画面に戻る指示を受付けるためのアイコン５４Ｂと、を含む。
【００７４】
選択欄５４Ｃは、原稿の枚数を選択するための領域である。本実施の形態では、原稿枚数選択画面５４に含まれる、原稿の枚数情報を選択するための選択欄５４Ｃは、互いに異なる枚数範囲の選択欄５４Ｃ（選択欄５４Ｃ１、選択欄５４Ｃ２、選択欄５４Ｃ３）を含む。上記枚数範囲は、製本印刷に適した枚数に応じて、予め区切った範囲である。
【００７５】
本実施の形態では、選択欄５４Ｃは、製本印刷に適する枚数範囲を選択するための選択欄５４Ｃ２と、該枚数範囲未満の範囲を選択するための選択欄５４Ｃ１と、該枚数範囲を超える範囲を選択するための選択欄５４Ｃ３と、を含む。図７には、一例として、製本印刷に適する枚数範囲“９〜３２枚”、該枚数範囲未満の範囲“８枚以下”、該枚数範囲以上の範囲“３３枚以上”を示した。なお、枚数範囲の上限および下限の数値は一例であり、図７に示す形態に限定されない。また、枚数範囲は、２段階または４段階以上であってもよい。
【００７６】
表示制御部４０Ｄが、製本印刷に応じた枚数範囲の選択欄５４Ｃを操作パネル２７へ表示することで、ユーザは、製本印刷を考慮しながら枚数を入力する必要がない。このため、入力作業の簡易化を図ることができる。
【００７７】
なお、原稿枚数選択画面５４は、コピー対象の原稿の枚数情報を直接入力するための入力欄を含む形態であってもよい。
【００７８】
ユーザは、操作パネル２７を操作し、コピー対象の原稿の枚数を含む枚数範囲の選択欄（選択欄５４Ｃ１、選択欄５４Ｃ２、選択欄５４Ｃ３の何れか）を選択する。図７には、製本印刷に適した枚数範囲“９〜３２枚”が選択された状態を、一例として示した。
【００７９】
そして、ユーザがアイコン５４Ａを操作指示すると、受付部４０Ｂは、操作入力された、原稿の枚数情報を受付け、取得部４０Ａおよび表示制御部４０Ｄへ出力する。本実施の形態では、取得部４０Ａは、選択欄を介して操作入力された枚数範囲を示す枚数情報を取得する。
【００８０】
なお、ユーザが前画面に戻る指示を受付けるためのアイコン５４Ｂを操作指示した場合、表示制御部４０Ｄは、前回表示した受付画面５８を操作パネル２７へ表示すればよい。
【００８１】
表示制御部４０Ｄは、操作入力された枚数情報を受付けると、原稿面選択画面を操作パネル２７へ表示する。
【００８２】
図８は、原稿面選択画面５５の一例を示す模式図である。原稿面選択画面５５は、受付画面５８の一例である。原稿面選択画面５５は、原稿における印刷対象の原稿面が片面または両面であるかを示す原稿面情報を受付けるための受付画面５８である。原稿面選択画面５５は、例えば、アイコン５５Ｃと、実行指示を受付けるためのアイコン５５Ａと、前画面に戻る指示を受付けるためのアイコン５５Ｂと、を含む。
【００８３】
アイコン５５Ｃは、原稿面情報を選択するためのアイコン画像である。本実施の形態では、アイコン５５Ｃは、“片面”、“両面（左右開き）”、“両面（上下開き）”の何れかを選択するためのアイコン画像である。なお、“両面（左右開き）”は、コピー対象の原稿の原稿面が両面であり、且つ、原稿における原稿面の配置が“左右開き”であることを意味する。“左右開き”とは、原稿の表裏の天地が同じ向きであることを示す。また、“両面（上下開き）”は、コピー対象の原稿の原稿面が両面であり、且つ、原稿における原稿面の配置が“上下開き”であることを意味する。“上下開き”とは、原稿の表裏の天地が逆向きであることを示す。
【００８４】
ユーザは、操作パネル２７を操作し、アイコン５５Ｃを操作指示することで、原稿面情報を操作入力する。図８には、“両面（上下開き）”が操作入力された状態を、一例として示した。
【００８５】
そして、ユーザがアイコン５５Ａを操作指示すると、受付部４０Ｂは、操作入力された、原稿面情報を受付け、取得部４０Ａおよび表示制御部４０Ｄへ出力する。なお、ユーザが前画面に戻る指示を受付けるためのアイコン５５Ｂを操作指示した場合、表示制御部４０Ｄは、前回表示した受付画面５８を操作パネル２７へ表示すればよい。
【００８６】
表示制御部４０Ｄは、操作入力された原稿面情報を受付けると、原稿方向設定画面を操作パネル２７へ表示する。
【００８７】
図９は、原稿方向設定画面５６の一例を示す模式図である。原稿方向設定画面５６は、受付画面５８の一例である。原稿方向設定画面５６は、本体１０の原稿の載置部に、原稿を配置する方向を示す原稿方向情報を受付けるための、受付画面５８である。原稿方向設定画面５６は、例えば、アイコン５６Ｃと、実行指示を受付けるためのアイコン５６Ａと、前画面に戻る指示を受付けるためのアイコン５６Ｂと、を含む。
【００８８】
アイコン５６Ｃは、原稿方向を選択するためのアイコン画像である。本実施の形態では、アイコン５６Ｃは、“タテ”または“ヨコ”を選択するためのアイコン画像である。
【００８９】
ユーザは、操作パネル２７を操作し、アイコン５６Ｃを操作指示することで、原稿方向情報を操作入力する。図９には、原稿方向“ヨコ”が操作入力された状態を、一例として示した。
【００９０】
そして、ユーザがアイコン５６Ａを操作指示すると、受付部４０Ｂは、操作入力された、原稿方向情報を受付け、取得部４０Ａおよび表示制御部４０Ｄへ出力する。なお、ユーザが前画面に戻る指示を受付けるためのアイコン５６Ｂを操作指示した場合、表示制御部４０Ｄは、前回表示した受付画面５８を操作パネル２７へ表示すればよい。
【００９１】
上記のように、表示制御部４０Ｄが受付画面５８を操作パネル２７へ表示し、受付部４０Ｂがユーザによる操作入力を受付けることで、受付部４０Ｂは、原稿情報を受付ける。そして、取得部４０Ａは、受付部４０Ｂから原稿情報を取得する。なお、本実施の形態では、取得部４０Ａは、原稿の枚数情報、原稿面情報、色情報、色味変更情報、および原稿方向情報を含む原稿情報を取得する場合を、一例として説明する。なお、取得部４０Ａは、少なくとも枚数情報および原稿面情報を含む原稿情報を取得すればよく、取得部４０Ａが取得する原稿情報に含まれる情報は、上記情報に限定されない。
【００９２】
図２に戻り説明を続ける。次に、導出部４０Ｃについて説明する。導出部４０Ｃは、取得部４０Ａで取得した原稿情報とエンジン部１７の有する機能に基づいて、コピー時の推奨設定と、該推奨設定でコピーした場合の用紙の使用量の削減率を導出する。
【００９３】
推奨設定とは、エンジン部１７の有する機能（両面印刷機能、集約機能、製本印刷機能）に対する、処理部４０が推奨するコピー時の条件を示す。詳細には、推奨設定は、エンジン部１７の有する１または複数の機能（両面印刷機能、集約機能、製本印刷機能（週刊誌印刷機能、集約製本印刷機能））の内の何れかの機能と、集約数と、を含む。すなわち、推奨設定は、エンジン部１７の有する１または複数の機能の内の何れを用いて、何れの数の集約数で原稿を用紙へコピーするか、を示す情報である。
【００９４】
用紙の使用量の削減率は、原稿情報に示される設定で原稿を用紙へコピーした場合の用紙の使用量に対する、推奨設定で原稿を用紙へコピーした場合の用紙の使用量の、削減の割合を示す。なお、以下では、用紙の使用量の削減率を、“用紙削減率”と称して説明する場合がある。
【００９５】
導出部４０Ｃは、取得部４０Ａで取得した原稿情報と、エンジン部１７の有する機能と、に基づいて、用紙削減率が第１の閾値以上の、推奨設定を導出する。第１の閾値は、予め定めればよい。第１の閾値は、例えば、５０％、６０％、７５％、などであるが、これらに限定されない。なお、導出部４０Ｃは、用紙削減率が最も高い推奨設定を導出してもよい。また、導出部４０Ｃは、ユーザによる操作パネル２７の操作指示などに応じて、第１の閾値を適宜変更可能としてもよい。また、導出部４０Ｃは、用紙削減率が最も高いものから順に予め定めた数の推奨設定を導出してもよい。
【００９６】
また、導出部４０Ｃは、原稿情報と、エンジン部１７の有する機能と、に基づいて、用紙削減率が第１の閾値以上であり、且つ、コピー時にエンジン部１７で用いる色材の数が第２の閾値以下、および、原稿をコピーされた用紙の見易さの度合いが第３の閾値以上、の少なくとも１つを満たす、推奨設定を導出してもよい。
【００９７】
色材の数は、本実施の形態では、エンジン部１７で用いる色材の種類の数を示す。本実施の形態では、単に、色材の数と称して説明する。エンジン部１７が電子写真方式の画像形成部である場合、色材は、トナーである。エンジン部１７がインクジェット方式の画像形成部である場合、色材は、インクである。コピーに用いる色材の種類の数が少ないほど、また、色材が特殊な色ではないほど、用いる色材の種類の削減やコスト削減を図ることができる。これらの観点から、導出部４０Ｃは、色材の数の第２の閾値を、予め定めればよい。また、第２の閾値は、ユーザによる操作パネル２７の操作指示などに応じて適宜変更可能としてもよい。
【００９８】
用紙の見易さの度合いは、例えば、用紙に形成された画像や文字がユーザによって視認しやすい大きさであるほど、また、画像や文字の鮮鋭度が高いほど、高い値を示す。導出部４０Ｃは、見易さの度合いを算出するための算出式を予め用意する。なお、用紙に形成された画像や文字の鮮鋭度は、公知の方法で算出すればよい。例えば、導出部４０Ｃは、エンジン部１７の機能および集約数の組合せごとに、各機能および集約数で原稿の用紙へのコピーを行った場合の見易さの度合いを算出する。そして、導出部４０Ｃは、見易さの度合いが第３の閾値以上の推奨設定を導出すればよい。第３の閾値は、予め定めればよい。また、第３の閾値は、ユーザによる操作パネル２７の操作指示などに応じて適宜変更可能としてもよい。
【００９９】
本実施の形態では、導出部４０Ｃは、推奨設定管理情報２５Ａおよび削減率管理情報２５Ｂを予め記憶部２５へ記憶する。そして、本実施の形態では、導出部４０Ｃは、推奨設定管理情報２５Ａおよび削減率管理情報２５Ｂを用いて、推奨設定および用紙削減率を導出する。
【０１００】
図１０は、推奨設定管理情報２５Ａのデータ構成の一例を示す模式図である。推奨設定管理情報２５Ａは、エンジン部１７の有する機能ごとに、原稿面情報および枚数情報に対する推奨設定を規定したものである。
【０１０１】
エンジン部１７の有する機能は、上述したように、両面印刷機能、集約機能、製本印刷機能、の少なくとも１つである。図１０には、一例として、“製本印刷機能サポート機種”と、“製本印刷機能非サポート機種”と、を示した。製本印刷機能サポート機種とは、エンジン部１７が、両面印刷機能、集約機能、製本印刷機能、を有することを示す。製本印刷機能非サポート機能とは、エンジン部１７が、両面印刷機能および集約機能を有し、製本印刷機能を有さないことを示す。
【０１０２】
本実施の形態では、推奨設定管理情報２５Ａには、エンジン部１７が製本印刷機能を有するか否かに応じて、原稿面情報である片面原稿および両面原稿と、原稿の枚数範囲の各々と、の各々に対応する、１つの推奨設定が予め登録されているものとする。
【０１０３】
なお、推奨設定管理情報２５Ａには、製本印刷機能を有するか否かに応じて、原稿面情報である片面原稿および両面原稿と、原稿の枚数範囲の各々と、に対応する、複数の推奨設定を予め登録してもよい。また、推奨設定管理情報２５Ａには、エンジン部１７が有する機能の様々な組合せの各々と、原稿面情報と、原稿の枚数情報と、の組合せの各々に対応する１または複数の推奨設定を、予め登録してもよい。
【０１０４】
なお、図１０中、“週刊誌印刷＋２ページごと集約”は、集約数“２”の集約製本印刷機能を意味する。また、図１０中、“両面印刷＋２ページごと集約”は、集約数“２”の両面印刷機能を示す。また、図１０中、“両面印刷＋４ページごと集約”は、集約数“４”の両面印刷機能を示す。また、図１０中、“両面印刷”は、集約無（集約数“１”）の両面印刷機能を示す。
【０１０５】
なお、図１０に記載した各推奨設定は一例であり、エンジン部１７の有する機能、原稿面情報、および原稿の枚数情報に対応する推奨設定は、図１０に示す形態に限定されない。
【０１０６】
本実施の形態では、導出部４０Ｃは、取得部４０Ａで取得した機能情報によって示される、エンジン部１７の有する機能と、取得部４０Ａで取得した原稿情報に示される原稿の枚数情報と、該原稿情報に示される原稿面情報と、に対応する推奨設定を、推奨設定管理情報２５Ａから読取ることで、推奨設定を導出する。
【０１０７】
なお、導出部４０Ｃは、原稿情報と、エンジン部１７の有する機能と、に基づいて、用紙削減率が第１の閾値以上であり、且つ、コピー時にエンジン部１７で用いる色材の数が第２の閾値以下、および、原稿をコピーされた用紙の見易さの度合いが第３の閾値以上、の少なくとも１つを満たす、推奨設定を導出するための演算式を、公知の学習方法などを用いて予め定めてもよい。そして、導出部４０Ｃは、該演算式を用いて、推奨設定を演算してもよい。
【０１０８】
なお、導出部４０Ｃは、エンジン部１７の有する機能の内、ユーザによって選択された機能と、取得部４０Ａで取得した原稿情報と、に基づいて、コピー時の推奨設定を導出してもよい。
【０１０９】
この場合、導出部４０Ｃは、ユーザによって選択された機能を示す情報を、取得部４０Ａおよび受付部４０Ｂを介して操作パネル２７から取得すればよい。例えば、導出部４０Ｃは、製本印刷機能を利用するか否かを示す情報を、ユーザによって選択された機能を示す情報として受け付ける。この場合、表示制御部４０Ｄは、製本印刷機能を利用するか否かをユーザに選択させるための選択画面を、操作パネル２７へ表示すればよい。この選択画面を表示するタイミングは、導出部４０Ｃが推奨設定を導出する前のタイミングであればよい。
【０１１０】
例えば、表示制御部４０Ｄは、初期画面５１（図４参照）内に、製本印刷機能を利用するか否かを設定するためのボタン画像を表示する。そして、ユーザが該ボタン画像を操作指示した場合に、表示制御部４０Ｄは、製本印刷機能を利用するか否かをユーザに選択させるための選択画面を、操作パネル２７へ表示する。そして、ユーザが、該選択画面を操作指示することで、製本印刷機能を利用するか否かを選択すると、受付部４０Ｂは、製本印刷機能を利用するか否かを示す情報を受付け、取得部４０Ａへ出力すればよい。
【０１１１】
そして、導出部４０Ｃは、製本印刷機能を利用するか否かを示す情報を、ユーザによって選択された機能を示す情報として、取得部４０Ａから受け付ける。
【０１１２】
エンジン部１７の有する機能に製本印刷機能が含まれ、且つ、ユーザによって選択された機能を示す情報が“製本印刷機能を利用する”事を示すと仮定する。この場合、導出部４０Ｃは、取得部４０Ａで取得した機能情報によって示される、エンジン部１７の有する機能（製本印刷機能を含む）と、取得部４０Ａで取得した原稿情報に示される原稿の枚数情報と、該原稿情報に示される原稿面情報と、に対応する推奨設定を、推奨設定管理情報２５Ａから読取ることで、推奨設定を導出する。
【０１１３】
一方、エンジン部１７の有する機能に製本印刷機能が含まれ、且つ、ユーザによって選択された機能を示す情報が“製本印刷機能を利用しない”事を示すと仮定する。この場合、導出部４０Ｃは、取得部４０Ａで取得した機能情報によって示される、エンジン部１７の有する機能の内、製本印刷機能以外の機能と、取得部４０Ａで取得した原稿情報に示される原稿の枚数情報と、該原稿情報に示される原稿面情報と、に対応する推奨設定を、推奨設定管理情報２５Ａから読取ることで、推奨設定を導出すればよい。
【０１１４】
次に、導出部４０Ｃは、導出した推奨設定で原稿を用紙へコピーした場合の用紙の使用量の、原稿情報に示される設定で原稿を用紙へコピーした場合の用紙の使用量に対する、用紙削減率を導出する。
【０１１５】
例えば、導出部４０Ｃは、原稿情報に示される原稿の枚数情報によって示される枚数から、推奨設定で原稿をコピーした場合に使用する用紙の枚数を減算した値を、原稿情報に示される原稿の枚数情報によって示される枚数で除算した結果を、用紙削減率として導出する。
【０１１６】
なお、導出部４０Ｃは、削減率管理情報２５Ｂを用いて、用紙削減率を算出してもよい。図１１は、削減率管理情報２５Ｂのデータ構成の一例を示す模式図である。削減率管理情報２５Ｂは、推奨設定管理情報２５Ａに示される（図１０参照）、エンジン部１７の有する機能ごとの原稿面情報および枚数情報に対する推奨設定に対応する、用紙削減率を規定したものである。図１１には、一例として、最大の用紙削減率が規定されている場合を示した。
【０１１７】
この場合、導出部４０Ｃは、取得部４０Ａで取得したエンジン部１７の有する機能と、原稿情報に示される原稿の枚数情報と、該原稿情報に示される原稿面情報と、に対応する用紙削減率を削減率管理情報２５Ｂから読取ることで、導出した推奨設定に対応する用紙削減率を導出する。
【０１１８】
なお、導出部４０Ｃは、原稿情報に応じて原稿を用紙へコピーしたときの第１の使用料金に対する、原稿を導出した推奨設定で用紙へコピーしたときの第２の使用料金の、料金削減率を更に導出してもよい。
【０１１９】
この場合、例えば、導出部４０Ｃは、用紙１枚あたりの使用料金を予め記憶部２５へ記憶する。そして、導出部４０Ｃは、原稿情報に示される原稿の枚数情報によって示される枚数に用紙１枚あたりの使用料金を乗算した結果を、第１使用料金として算出する。また、導出部４０Ｃは、導出した推奨設定で原稿をコピーした場合に使用する用紙の枚数に、用紙１枚あたりの使用料金を乗算した結果を、第２の使用料金として算出する。そして、導出部４０Ｃは、第１使用料金から第２使用料金を減算した値を、第１使用料金で除算した結果を、料金削減率として導出すればよい。
【０１２０】
図２に戻り説明を続ける。表示制御部４０Ｄは、導出部４０Ｃで導出された推奨設定および用紙削減率を含む推奨情報を、操作パネル２７へ表示する。本実施の形態では、導出部４０Ｃは、推奨情報を含む推奨画面を、操作パネル２７へ表示する。
【０１２１】
図１２〜図１５は、推奨画面６０の一例を示す模式図である。
【０１２２】
例えば、表示制御部４０Ｄは、図１２に示す推奨画面６１を、操作パネル２７へ表示する。推奨画面６１は、推奨画面６０の一例である。推奨画面６１は、推奨設定６４を含む。
【０１２３】
なお、推奨設定６４には、推奨設定６４に含まれる各項目（機能、集約、色材）を変更するための変更ボタン６４Ａが表示されている。ユーザは、操作パネル２７に表示された変更ボタン６４Ａを操作することで、推奨設定６４に示される各項目の内容を変更することが可能である。
【０１２４】
また、推奨画面６１は、推奨画面６１に表示された推奨設定６４の実行指示を受付けるためのアイコン６１Ａと、前画面に戻る指示を受付けるためのアイコン６１Ｂと、を含む。
【０１２５】
ユーザは、操作パネル２７を操作し、表示された推奨設定６４を確認、または、適宜推奨設定６４の各項目の内容を変更した後に、アイコン６１Ａを操作指示する。表示制御部４０Ｄは、操作パネル２７から受付部４０Ｂを介して実行指示を受付けると、用紙削減率を含む推奨画面６０を操作パネル２７へ表示する。
【０１２６】
図１３は、用紙削減率６５を含む推奨画面６６の一例を示す模式図である。推奨画面６６は、推奨画面６０の一例である。図１３に示すように、表示制御部４０Ｄは、用紙削減率６５を示すグラフ画像を操作パネル２７へ表示してもよい。グラフ画像は、原稿情報に応じてコピーを実行した場合に対する、推奨設定６４でコピーを実行した場合の効果を、視覚化した図形や画像で表したものである。
【０１２７】
なお、グラフ画像は、図１３に示すような円グラフであってもよいし、棒グラフなどであってもよく、グラフの形態は限定されない。例えば、用紙削減率６５を示すグラフ画像は、図１４に示すような、棒グラフで表されるグラフ画像６５’であってもよい。
【０１２８】
用紙削減率６５を示すグラフ画像を操作パネル２７へ表示することで、表示制御部４０Ｄは、ユーザに対して直観的に分かりやすい形態で、用紙削減率６５を示す情報を提供することができる。
【０１２９】
ユーザは、操作パネル２７を操作することで、原稿を印刷する部数を入力した後に、コピー実行を示すアイコン６６Ａを操作指示する。すると、受付部４０Ｂは、原稿を、表示された推奨設定６４で、入力された部数、コピーすることを示すコピー実行情報を、取得部４０Ａを介して本体１０の印刷制御部１２１へ出力する。コピー実行情報は、実行情報の一例である。印刷制御部１２１は、受付けたコピー実行情報に応じてエンジン部１７を制御することで、コピー実行情報に含まれる推奨設定６４で、原稿を用紙へコピーする。
【０１３０】
なお、表示制御部４０Ｄは、料金削減率を更に含む推奨情報６２を、操作パネル２７へ表示してもよい。
【０１３１】
図１５は、用紙削減率６５と料金削減率６８を含む推奨画面６７の一例を示す模式図である。推奨画面６７は、推奨画面６０の一例である。図１５に示すように、表示制御部４０Ｄは、用紙削減率６５を示すグラフ画像と、料金削減率６８を示すグラフ画像と、を含む推奨情報６２を、操作パネル２７へ表示してもよい。
【０１３２】
なお、表示制御部４０Ｄは、推奨設定６４と、用紙削減率６５と、を一つの推奨画面６０に配置して操作パネル２７へ表示してもよい。また、表示制御部４０Ｄは、推奨設定６４と用紙削減率６５と料金削減率６８を１つの推奨画面６０に配置して操作パネル２７へ表示してもよい。
【０１３３】
このように、表示制御部４０Ｄは、推奨設定６４と用紙削減率６５を含む推奨情報６２を操作パネル２７へ表示する。
【０１３４】
ここで、推奨設定６４は、上述したように、エンジン部１７の有する機能（両面印刷機能、集約機能、製本印刷機能）に対する、処理部４０が推奨するコピー時の条件を示す。そして、上述したように、推奨設定６４は、原稿情報とエンジン部１７の有する機能と、に基づいた、用紙削減率が第１の閾値以上の推奨設定６４である。また、用紙削減率６５は、原稿情報に示される設定で原稿を用紙へコピーした場合の用紙の使用量に対する、推奨設定６４で原稿を用紙へコピーした場合の、用紙の使用量の削減の割合を示す。
【０１３５】
このため、表示制御部４０Ｄは、印刷を実行するエンジン部１７の機能に応じた推奨設定６４、および該推奨設定６４を用いたことによる効果を示す情報を、操作パネル２７へ表示することができる。
【０１３６】
また、上述したように、推奨設定６４は、用紙削減率が第１の閾値以上であり、且つ、コピー時にエンジン部１７で用いる色材の数が第２の閾値以下、および、原稿をコピーされた用紙の見易さの度合いが第３の閾値以上、の少なくとも１つを満たすものであってもよい。この場合、表示制御部４０Ｄは、用紙削減率、色材の数、および原稿を印刷された用紙の見易さの度合い、を考慮した推奨設定６４や、該推奨設定６４を用いたことによる効果を示す情報を、操作パネル２７へ表示することができる。
【０１３７】
次に、ＭＦＰ１００が実行する情報処理の手順の一例を説明する。
【０１３８】
図１６は、本実施の形態のＭＦＰ１００が実行する、情報処理の手順の一例を示すフローチャートである。
【０１３９】
ＭＦＰ１００への電力供給が開始されると、表示制御部４０Ｄが、ホーム画面５０を操作パネル２７へ表示する（図３参照）（ステップＳ２００）。
【０１４０】
次に、受付部４０Ｂが、削減率診断アプリの選択を受付けたか否かを判断する（ステップＳ２０２）。ステップＳ２０２で否定判断した場合（ステップＳ２０２：Ｎｏ）、ＭＦＰ１００は、通常処理を行い、本ルーチンを終了する。通常処理とは、ホーム画面５０に表示された各種アプリを示すアイコンの内、ユーザによって指示されたアイコンに対応する機構を実行するように、エンジン部１７を制御する処理である。
【０１４１】
一方、ステップＳ２０２で肯定判断すると（ステップＳ２０２：Ｙｅｓ）、ステップＳ２０４へ進む。ステップＳ２０４では、取得部４０Ａが、本体１０の印刷制御部１２１から、機能情報を取得する（ステップＳ２０４）。
【０１４２】
次に、表示制御部４０Ｄが、操作パネル２７に初期画面５１を表示する（図４参照）（ステップＳ２０６）。次に、受付部４０Ｂが、削減率診断アプリの実行指示を示す情報を受付けたと判断するまで、否定判断を繰返す（ステップＳ２０８：Ｎｏ）。ステップＳ２０８で肯定判断すると（ステップＳ２０８：Ｙｅｓ）、ステップＳ２１０へ進む。なお、ステップＳ２０８で否定判断した場合（ステップＳ２０８：Ｎｏ）、本ルーチンを終了してもよい。
【０１４３】
ステップＳ２１０では、表示制御部４０Ｄが、色情報選択画面５２を操作パネル２７へ表示する（図５参照）（ステップＳ２１０）。受付部４０Ｂは、色情報を受付けたと判断するまで、否定判断を繰返す（ステップＳ２１２：Ｎｏ）。ステップＳ２１２で肯定判断すると（ステップＳ２１２：Ｙｅｓ）、ステップＳ２１４へ進む。なお、ステップＳ２１２で否定判断した場合（ステップＳ２１２：Ｎｏ）、本ルーチンを終了してもよい。
【０１４４】
ステップＳ２１４では、表示制御部４０Ｄが、色味変更選択画面５３を操作パネル２７へ表示する（図６参照）（ステップＳ２１４）。受付部４０Ｂは、操作パネル２７から受付けた色味変更情報が、“色味変更不可”を示すか否かを判断する（ステップＳ２１６）。色味変更不可を示す場合（ステップＳ２１６：Ｙｅｓ）、ステップＳ２２４へ進む。ステップＳ２２４では、取得部４０Ａは、色情報として“カラー”を取得する（ステップＳ２２４）。そして、後述するステップＳ２２６へ進む。
【０１４５】
一方、操作パネル２７から受付けた色味変更情報が“色味変更不可”を示さない場合（ステップＳ２１６：Ｎｏ）、ステップＳ２１８へ進む。ステップＳ２１８では、受付部４０Ｂは、操作パネル２７から受付けた色味変更情報が“モノクロ”および“２色を用いたコピー”の何れを示すかを判断する（ステップＳ２１８）。
【０１４６】
ステップＳ２１８で、色味変更情報が“モノクロ”を示すと判断した場合（ステップＳ２１８：モノクロ）、ステップＳ２２０へ進む。ステップＳ２２０では、取得部４０Ａは、色情報として“モノクロ”を取得する（ステップＳ２２０）。そして、後述するステップＳ２２６へ進む。
【０１４７】
一方、ステップＳ２１８で、色味変更情報が“２色を用いたコピー”を示すと判断した場合（ステップＳ２１８：２色）、ステップＳ２２２へ進む。ステップＳ２２２では、取得部４０Ａは、色情報として“２色”を取得する（ステップＳ２２２）。そして、後述するステップＳ２２６へ進む。
【０１４８】
ステップＳ２１２〜ステップＳ２２４の処理によって、取得部４０Ａは、コピー対象の原稿の原稿面の色情報を取得する。
【０１４９】
次に、ステップＳ２２６では、表示制御部４０Ｄが原稿枚数選択画面５４を操作パネル２７へ表示する（図７参照）（ステップＳ２２６）。次に、受付部４０Ｂは、原稿の枚数情報を受付けたと判断するまで、否定判断を繰返す（ステップＳ２２８：Ｎｏ）。ステップＳ２２８で肯定判断すると（ステップＳ２２８：Ｙｅｓ）、ステップＳ２３０へ進む。なお、ステップＳ２２８で否定判断した場合（ステップＳ２２８：Ｎｏ）、本ルーチンを終了してもよい。
【０１５０】
ステップＳ２３０では、取得部４０Ａが、ステップＳ２２８で受付けた原稿の枚数情報を取得する（ステップＳ２３０）。
【０１５１】
次に、表示制御部４０Ｄは、原稿面選択画面５５を操作パネル２７へ表示する（図８参照）（ステップＳ２３２）。次に、受付部４０Ｂは、原稿面情報を受付けたと判断するまで、否定判断を繰返す（ステップＳ２３４：Ｎｏ）。ステップＳ２３４で肯定判断すると（ステップＳ２３４：Ｙｅｓ）、ステップＳ２３６へ進む。なお、ステップＳ２３４で否定判断した場合（ステップＳ２３４：Ｎｏ）、本ルーチンを終了してもよい。
【０１５２】
ステップＳ２３６では、取得部４０Ａが、ステップＳ２３４で受付けた原稿面情報を取得する。
【０１５３】
次に、表示制御部４０Ｄが原稿方向設定画面５６を操作パネル２７へ表示する（図９参照）（ステップＳ２３８）。次に、受付部４０Ｂは、原稿方向情報を受付けたと判断するまで、否定判断を繰返す（ステップＳ２４０：Ｎｏ）。ステップＳ２４０で肯定判断すると（ステップＳ２４０：Ｙｅｓ）、ステップＳ２４２へ進む。なお、ステップＳ２４０で否定判断した場合（ステップＳ２４０：Ｎｏ）、本ルーチンを終了してもよい。
【０１５４】
ステップＳ２４２では、取得部４０Ａが、ステップＳ２４０で受付けた原稿方向情報を取得する（ステップＳ２４２）。
【０１５５】
ステップＳ２０６〜ステップＳ２４２の処理によって、取得部４０Ａは、原稿情報を取得する。
【０１５６】
次に、導出部４０Ｃが、ステップＳ２０４で取得した機能情報と、ステップＳ２０６〜ステップＳ２４２の処理によって取得した原稿情報と、に基づいて、推奨情報６２を導出する（ステップＳ２４４）。
【０１５７】
次に、表示制御部４０Ｄが、推奨情報６２を含む推奨画面６０（図１２〜図１５参照）を、操作パネル２７へ表示する（ステップＳ２４６）。
【０１５８】
次に、受付部４０Ｂが、コピー実行指示を操作パネル２７から受付けたか否かを判断する（ステップＳ２４８）。ステップＳ２４８で肯定判断すると（ステップＳ２４８：Ｙｅｓ）、取得部４０Ａは、推奨画面６０に表示された推奨設定６４で指定された部数、原稿の用紙へのコピーを実行することを示すコピー実行情報を、印刷制御部１２１へ出力する（ステップＳ２５０）。印刷制御部１２１は、受付けたコピー実行情報に含まれる推奨設定６４で、該コピー実行情報に含まれる部数の用紙へ、原稿のコピーを実行するように、エンジン部１７を制御する。そして、本ルーチンを終了する。
【０１５９】
一方、ステップＳ２４８で否定判断すると（ステップＳ２４８：Ｎｏ）、ステップＳ２５２へ進む。ステップＳ２５２では、表示制御部４０Ｄが、上記ステップＳ２４４で導出した推奨情報６２を含む推奨画面６０（図１２〜図１５参照）を、操作パネル２７へ表示する（ステップＳ２５２）。そして、受付部４０Ｂは、推奨情報６２に含まれる各項目の変更指示を受付けたと判断するまで否定判断を繰返す（ステップＳ２５４：Ｎｏ）。ステップＳ２５４で肯定判断すると（ステップＳ２５４：Ｙｅｓ）、ステップＳ２５６へ進む。ステップＳ２５６では、表示制御部４０Ｄが、ステップＳ２５４で変更された後の推奨情報６２を含む推奨画面６０を、操作パネル２７へ表示する（ステップＳ２５６）。そして、上記ステップＳ２４８へ戻る。
【０１６０】
以上説明したように、本実施の形態のＭＦＰ１００（情報処理装置）は、取得部４０Ａと、導出部４０Ｃと、表示制御部４０Ｄと、を備える。取得部４０Ａは、原稿に関する原稿情報を取得する。導出部４０Ｃは、原稿情報と、原稿を複写して媒体へ印刷するエンジン部１７（実行部）の有する機能と、に基づいて、印刷時の推奨設定および該推奨設定で印刷した場合の媒体の使用量の削減率を導出する。表示制御部４０Ｄは、推奨設定および削減率を含む推奨情報６２を操作パネル２７（表示部）に表示する。
【０１６１】
このように、ＭＦＰ１００は、エンジン部１７の有する機能と、原稿の原稿情報と、に基づいた推奨設定および削減率を含む推奨情報６２を、操作パネル２７へ表示する。
【０１６２】
従って、本実施の形態のＭＦＰ１００（情報処理装置）は、印刷を実行するエンジン部１７（実行部）の機能に応じた、推奨設定および該推奨設定を用いたことによる効果を示す情報を提供することができる。
【０１６３】
本実施の形態の情報処理方法は、原稿に関する原稿情報を取得するステップと、原稿情報と、原稿を複写して媒体へ印刷するエンジン部１７（実行部）の有する機能と、に基づいて、印刷時の推奨設定および該推奨設定で印刷した場合の媒体の使用量の削減率を導出するステップと、推奨設定および削減率を含む推奨情報６２を操作パネル２７（表示部）に表示するステップと、を含む。
【０１６４】
本実施の形態の情報処理プログラムは、原稿に関する原稿情報を取得するステップと、原稿情報と、原稿を複写して媒体へ印刷するエンジン部１７（実行部）の有する機能と、に基づいて、印刷時の推奨設定および該推奨設定で印刷した場合の媒体の使用量の削減率を導出するステップと、推奨設定および削減率を含む推奨情報６２を操作パネル２７（表示部）に表示するステップとをコンピュータに実行させるための情報処理プログラムである。
【０１６５】
エンジン部１７の有する機能は、原稿の、媒体への印刷方法に関する機能である。また、エンジン部１７の有する機能は、原稿の原稿面を媒体の両面へ印刷する両面印刷機能、複数の原稿面を媒体へ集約して印刷する集約機能、および、原稿の原稿面を二つ折りの本になるように振り分けて印刷する製本印刷機能、の少なくとも１つを含む。
【０１６６】
原稿情報は、印刷対象の原稿の枚数を示す枚数情報、原稿における印刷対象の原稿面が片面または両面であるかを示す原稿面情報、を含む。
【０１６７】
受付部４０Ｂは、ユーザによる操作入力を受付ける。取得部４０Ａは、受付部４０Ｂから原稿情報を取得する。
【０１６８】
表示制御部４０Ｄは、製本印刷に適した原稿の枚数に応じた、互いに異なる枚数範囲の複数の選択欄５４Ｃを含む受付画面５８を操作パネル２７（表示部）に表示する。取得部４０Ａは、選択欄５４Ｃを介して操作入力された枚数範囲を示す枚数情報を含む原稿情報を、受付部４０Ｂから取得する。
【０１６９】
導出部４０Ｃは、原稿情報と、エンジン部１７（実行部）の有する機能と、に基づいて、削減率が第１の閾値以上の推奨設定を導出する。
【０１７０】
導出部４０Ｃは、原稿情報と、エンジン部１７（実行部）の有する機能と、に基づいて、削減率が第１の閾値以上であり、且つ、コピー時にエンジン部１７（実行部）で用いる色材の数が第２の閾値以下、および、原稿をコピーされた媒体の見易さの度合いが第３の閾値以上、の少なくとも一つを満たす、推奨設定を導出する。
【０１７１】
導出部４０Ｃは、原稿情報に応じて原稿を媒体へ印刷したときの第１の使用料金に対する、原稿を推奨設定で媒体へ印刷したときの第２の使用料金の料金削減率を更に導出する。表示制御部４０Ｄは、推奨設定、削減率、および料金削減率、を含む、推奨情報６２を操作パネル２７（表示部）に表示する。
【０１７２】
表示制御部４０Ｄは、削減率を示すグラフ画像を操作パネル２７（表示部）に表示する。
【０１７３】
なお、本実施の形態のＭＦＰ１００で実行されるプログラムは、ＲＯＭ等に予め組み込まれて提供される。また、本実施の形態のＭＦＰ１００で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）、ＳＤメモリカード（ＳＤ  Memory  Card）等のコンピュータで読み取り可能な記録媒体に記録して提供するように構成してもよい。
【０１７４】
さらに、本実施の形態のＭＦＰ１００で実行されるプログラムを、インターネット等のネットワークに接続されたコンピュータ上に格納し、ネットワーク経由でダウンロードさせることにより提供するように構成してもよい。また、本実施の形態のＭＦＰ１００で実行されるプログラムをインターネット等のネットワーク経由で提供または配布するように構成してもよい。
【０１７５】
本実施の形態のＭＦＰ１００で実行されるプログラムは、上述した各部（取得部４０Ａ、受付部４０Ｂ、導出部４０Ｃ、表示制御部４０Ｄ、印刷制御部１２１）を含むモジュール構成となっており、実際のハードウェアとしてはＣＰＵ（プロセッサ）が上記ＲＯＭからプログラムを読み出して実行することにより上記各部が主記憶装置上にロードされ、上記各部が主記憶装置上に生成されるようになっている。また、例えば、上述した各部の機能のうちの一部または全部が専用のハードウェア回路で実現されてもよい。
【０１７６】
なお、上記実施の形態では、本発明の情報処理装置を、ＭＦＰ１００に適用した例を挙げて説明したが、プリンタ機構を備えた装置に適用可能であればよく、ＭＦＰ１００に適用する形態に限定されない。
【符号の説明】
【０１７７】
１７  エンジン部
２７  操作パネル
４０Ａ  取得部
４０Ｂ  受付部
４０Ｃ  導出部
４０Ｄ  表示制御部
１００  ＭＦＰ
【先行技術文献】
【特許文献】
【０１７８】
【特許文献１】特開２０１１−７６２５８号公報
【図１】
2019116000.tif 000003
【図２】
2019116000.tif 000004
【図３】
2019116000.tif 000005
【図４】
2019116000.tif 000006
【図５】
2019116000.tif 000007
【図６】
2019116000.tif 000008
【図７】
2019116000.tif 000009
【図８】
2019116000.tif 000010
【図９】
2019116000.tif 000011
【図１０】
2019116000.tif 000012
【図１１】
2019116000.tif 000013
【図１２】
2019116000.tif 000014
【図１３】
2019116000.tif 000015
【図１４】
2019116000.tif 000016
【図１５】
2019116000.tif 000017
【図１６】
2019116000.tif 000018